(57)【特許請求の範囲】
【請求項１】
サービス総合ディジタル網に接続された端末アダプタにおいて、
前記サービス総合ディジタル網を介して当該サービス総合ディジタル網に接続された相手データ端末装置と通信するための第１の通信プロトコル部と、
前記サービス総合ディジタル網及びパーソナル・ハンディフォン・システム網を介して当該パーソナル・ハンディフォン・システム網に接続された相手データ端末装置と通信するための第２の通信プロトコル部と、
発信時の発信番号から相手データ端末装置の収容されている網が前記サービス総合ディジタル網か前記パーソナル・ハンディフォン・システム網かを識別して呼設定メッセージを送出し前記第１または第２の通信プロトコル部のうち起動する通信プロトコル部を選択する制御部と、
を備えることを特徴とする端末アダプタ。
【請求項２】
サービス総合ディジタル網に接続された端末アダプタにおいて、
前記サービス総合ディジタル網を介して当該サービス総合ディジタル網に接続された相手データ端末装置と通信するための第１の通信プロトコル部と、
前記サービス総合ディジタル網及びパーソナル・ハンディフォン・システム網を介して当該パーソナル・ハンディフォン・システム網に接続された相手データ端末装置と通信するための第２の通信プロトコル部と、
着信時の呼設定メッセージに含まれる内容情報から相手データ端末装置の収容されている網が前記サービス総合ディジタル網か前記パーソナル・ハンディフォン・システム網かを識別して前記第１または第２の通信プロトコル部のうち起動する通信プロトコル部を選択する制御部と、
を備えることを特徴とする端末アダプタ。
【発明の詳細な説明】
【０００１】
【発明の属する技術分野】
本発明は、相手データ端末装置の収容網を管理することなく、使用する通信メッセージおよび通信プロトコルを決定できる通信切替え機能を備えた端末アダプタに関する。
【０００２】
【従来の技術】
従来、端末アダプタはディジタル通信を行う場合、サービス総合ディジタル網（以下、ＩＳＤＮ、という）にのみ接続されていた。しかし、パーソナル・ハンディフォン・システム（以下、ＰＨＳ、という）の普及でＰＨＳ網でもディジタル通信がサポートされるようになり、ＩＳＤＮとＰＨＳ網間のディジタル通信が可能となってきた。
【０００３】
【発明が解決しようとする課題】
しかし、ＰＨＳ網は通信プロトコルが従来のＩＳＤＮと異なるため、通信前に相手データ端末装置の収容網に対応した通信プロトコルを決定する必要があり、発信する場合は発信前に相手データ端末装置の収容網に対応して通信プロトコルを決定し、設定を行った後に発信を行い、呼設定メッセージの内容は設定内容によりセットしてから呼接続処理を行う必要が出てきた。
【０００４】
このため、データ端末装置は相手データ端末装置の収容されているネットワーク（網）の種類を入力管理しなければならず、そのためには相手データ端末装置の追加収容毎に、あるいは変更毎にネットワークの種類を入力しなければならないため、管理に手間がかかるといった不都合があった。
【０００５】
着信の場合は相手データ端末装置が収容されている網の種類を事前に認識して対応した通信プロトコルを決定することができないため、ＰＨＳ網に対応した通信プロトコルを持った端末アダプタと、ＩＳＤＮに対応した通信プロトコルを持った端末アダプタとの２台の端末アダプタを設置しなければならなかった。
【０００６】
本発明は、このような従来の課題を解決するためになされたもので、発信時に相手データ端末装置の収容網を管理することなく呼接続および通信プロトコル管理を行うことができ、着信時はいずれの収容網の相手データ端末装置からでも１台で着信を受け付けて通信を行うことができる端末アダプタを提供することを目的とする。
【０００７】
【課題を解決するために手段】
本発明による請求項１記載の端末アダプタは、サービス総合ディジタル網に接続された端末アダプタにおいて、前記サービス総合ディジタル網を介して当該サービス総合ディジタル網に接続された相手データ端末装置と通信するための第１の通信プロトコル部と、前記サービス総合ディジタル網及びパーソナル・ハンディフォン・システム網を介して当該パーソナル・ハンディフォン・システム網に接続された相手データ端末装置と通信するための第２の通信プロトコル部と、発信時の発信番号から相手データ端末装置の収容されている網が前記サービス総合ディジタル網か前記パーソナル・ハンディフォン・システム網かを識別して呼設定メッセージを送出し前記第１または第２の通信プロトコル部のうち起動する通信プロトコル部を選択する制御部とを備える。
【０００８】
本発明によれば、相手データ端末装置の収容網を管理することなく発信および通信が可能であり、これによって相手データ端末装置の増加および収容網の変更に柔軟に対応することができる。
【０００９】
本発明による請求項２記載の端末アダプタは、サービス総合ディジタル網に接続された端末アダプタにおいて、前記サービス総合ディジタル網を介して当該サービス総合ディジタル網に接続された相手データ端末装置と通信するための第１の通信プロトコル部と、前記サービス総合ディジタル網及びパーソナル・ハンディフォン・システム網を介して当該パーソナル・ハンディフォン・システム網に接続された相手データ端末装置と通信するための第２の通信プロトコル部と、着信時の呼設定メッセージに含まれる内容情報から相手データ端末装置の収容されている網が前記サービス総合ディジタル網か前記パーソナル・ハンディフォン・システム網かを識別して前記第１または第２の通信プロトコル部のうち起動する通信プロトコル部を選択する制御部とを備える。
【００１０】
本発明によれば、相手データ端末装置がサービス総合ディジタル網またはパーソナル・ハンディフォン・システム網のいずれに接続されていても、そのどちらのデータ端末装置からでも１台の端末アダプタで着信を受け付けることができ、端末アダプタ等の設備の増加を軽減することができる。
【００１１】
【発明の実施の形態】
図１は、本発明の一実施の形態を示すシステム構成図で、データ端末装置（ＤＴＥ）１Ａ，１Ｂはそれぞれ端末アダプタ（ＴＡ）２Ａ，２Ｂおよび回線終端装置（ＮＣＴＥ）３Ａ，３Ｂを介してＩＳＤＮ４に接続されている。
【００１２】
また、データ端末装置（ＤＴＥ）１ＣはＰＨＳデータ通信アダプタ（ＰＨＳＡＤＰ）５およびＰＨＳ用電話機（ＰＨＳＴＥＬ）６を介してＰＨＳ無線基地局（ＣＳ）７に接続されており、この基地局７を通してＰＨＳ網８およびＩＳＤＮ４に接続されている。
【００１３】
図２は、本発明による端末アダプタ（ＴＡ）のプログラム構成図である。このＴＡ２Ａ（２Ｂ）はＤＴＥ１Ａ（１Ｂ）からのコマンドの受信解析およびリザルトコード送出等を行うＤＴＥ制御部２１、各部の制御およびＤＴＥ１Ａ（１Ｂ）からの発呼コマンド解析結果から発信網を判断し、ＩＳＤＮ４からの呼設定メッセージ解析結果から着信網を判断する制御部２２、ＩＳＤＮ４との発着信制御を行う呼制御部２３、ＩＳＤＮ４との通信を行うためにＶシリーズ・インターフェイスをＩシリーズ・インターフェイスに変換するＶ．１１０手順を制御する第１の通信プロトコル部としてのＶ．１１０部２４、ＰＨＳとの通信を行うための通信プロトコル制御（Ｖ．４２ｂｉｓ，ＰＩＡＦＳ）を行う第２の通信プロトコル部としてのＰＨＳ制御部２５から構成されている。ＤＴＥ制御部２１、呼制御部２３、Ｖ．１１０部２４およびＰＨＳ制御部２５は制御部２２によって制御される。
【００１４】
次に、発信動作について説明する。図３は、ＤＴＥ１ＡからＰＨＳ網８に接続されているＤＴＥ１Ｃへの発信時のシーケンスを示すシーケンス図である。同図において、ＤＴＥ制御部２１がＤＴＥ１Ａからの発信コマンドを受信すると（ステップＳ１１）、コマンドを解析し発信要求を制御部２２に伝える（ステップＳ１２）。
【００１５】
制御部２２は発信要求を受けると発信番号を解析し、ＰＨＳ網８への発信であると、呼制御部２３にＰＨＳ網８への発信であることを伝える（ステップＳ１３）。呼制御部２３はＰＨＳ網８への発信であることをセットした呼設定メッセージをＩＳＤＮ４に送出する（ステップＳ１４）。
【００１６】
ここで、発信番号の解析方法について説明する。ＰＨＳの番号体系は、従来の電話網と区別するために、上位３桁が必ず「０５０」となっており、発呼時に制御部２２において相手番号の上位３桁が「０５０」であるか判定し、「０５０」であればＰＨＳ網８への発信とし、それ以外ならばＩＳＤＮ４への発信とする。なお、この番号は将来拡張されることが予想されるので、拡張があった場合は、その番号を一度設定するだけで、以後は「０５０」と同じように発信毎に自動的に収容網の判定ができる。
【００１７】
呼制御部２３はＩＳＤＮ４からの応答メッセージを受信すると（ステップＳ１５）、応答確認メッセージをＩＳＤＮ４へ送出し（ステップＳ１６）、制御部２２に通信開始を伝える（ステップＳ１７）。制御部２２はＰＨＳ網８への発信であるため、ＰＨＳ制御部２５に通信開始を伝える（ステップＳ１８）。
【００１８】
ＰＨＳ制御部２５は通信開始を受けると接続された相手側のＰＨＳＡＤＰ５との通信プロトコルを起動し（ステップＳ１９）、本装置に接続されているＤＴＥ１ＡとＰＨＳ網８側に接続されているＤＴＥ１Ｃとの通信を行う（ステップＳ２０）。
【００１９】
図４は、ＩＳＤＮ４に接続されているＤＴＥ１Ｂへの発信時のシーケンスを示すシーケンス図である。同図において、ＤＴＥ制御部２１がＤＴＥ１Ａからの発信コマンドを受信すると（ステップＳ３１）、コマンドを解析し発信要求を制御部２２に伝える（ステップ３２）。
【００２０】
発信要求を受けた制御部２２は発信番号を解析し、ＩＳＤＮ４への発信であることを呼制御部２３に伝える（ステップＳ３３）。呼制御部２３はＩＳＤＮ４への発信であることをセットした呼設定メッセージをＩＳＤＮ４へ送出する（ステップＳ３４）。
【００２１】
呼制御部２３はＩＳＤＮ４から応答メッセージを受信すると（ステップＳ３５）、応答確認メッセージをＩＳＤＮ４へ送出し（ステップＳ３６）、制御部２２へ通信開始を伝える（ステップＳ３７）。制御部２２はＩＳＤＮ４への発信であるため、Ｖ．１１０部２４に通信開始を伝える（ステップＳ３８）。
【００２２】
Ｖ．１１０部２４は相手側のＴＡ２ＢとＶ．１１０手順を起動し（ステップＳ３９）、本装置に接続されているＤＴＥ１Ａと、ＩＳＤＮ４側に接続されているＤＴＥ１Ｂとが通信を行う（ステップＳ４０）。
【００２３】
次に、着信動作について説明する。図５は、ＰＨＳ網８に接続されているＤＴＥ１ＣからＤＴＥ１Ａへの着信時のシーケンスを示すシーケンス図である。同図において、呼制御部２３がＤＴＥ１Ｃからの呼設定メッセージを受信すると（ステップＳ５１）、呼設定通知を制御部２２に伝える（ステップＳ５２）。
【００２４】
制御部２２は呼設定通知を受けると、ＤＴＥ制御部２１に着信要求を伝える（ステップＳ５３）。また、このとき受信した呼設定メッセージ内のユーザ速度を解析し、相手データ端末装置（ＤＴＥ）１ＣがＰＨＳ網８に接続されていることを認識する。
【００２５】
ここで、着信時の呼設定メッセージの解析方法について説明する。ＰＨＳ網８からの呼設定メッセージは伝達能力（ＢＣ）または低位レイヤ整合性（ＬＬＣ）のユーザ速度が３２ｋｂｐｓで指定される。これに対し、従来のＩＳＤＮ４内の通信では、呼設定メッセージの伝達能力または低位レイヤ整合性のユーザ速度が３２ｋｂｐｓで指定されることはない。
【００２６】
そこで、着信時に制御部２２において呼設定メッセージの伝達能力または低位レイヤ整合性のユーザ速度が３２ｋｂｐｓで指定されているか判定し、３２ｋｂｐｓが指定されていれば、ＰＨＳ網８側からの着信とし、それ以外ならばＩＳＤＮ４側からの着信とする。
【００２７】
ＤＴＥ制御部２１は着信要求を受けると、ＤＴＥ１Ａが着信可能の場合、制御部２２に対して着信許可を伝える（ステップＳ５４）。着信許可を受けた制御部２２は呼制御部２３に対して呼設定応答を伝える（ステップＳ５５）。呼制御部２３は呼設定応答を受けると、ＩＳＤＮ４へ応答メッセージを送出し（ステップＳ５６）、制御部２２に通信開始を伝える（ステップＳ５７）。制御部２２は相手端末装置（ＤＴＥ）１ＣがＰＨＳ網８に接続されていることを認識しているため、ＰＨＳ制御部２５に通信開始を伝える（ステップＳ５８）。
【００２８】
ＰＨＳ制御部２５は通信開始を受けると、接続された相手側のＰＨＳデータ通信アダプタ（ＰＨＳＡＤＰ）５との通信プロトコル（ＰＩＡＦＳ）を起動し（ステップＳ５９）、本装置に接続されているＤＴＥ１ＡとＰＨＳ網８側に接続されているＤＴＥ１Ｃとの通信を行う（ステップＳ６０）。
【００２９】
図６は、ＩＳＤＮ４に接続されているＤＴＥ１ＢからＤＴＥ１Ａへの着信時のシーケンスを示すシーケンス図である。同図において、呼制御部２３がＤＴＥ１Ｂからの呼設定メッセージを受信すると（ステップＳ７１）、呼設定通知を制御部２２に伝える（ステップＳ７２）。
【００３０】
制御部２２は呼設定通知を受けると、ＤＴＥ制御部２１に着信要求を伝える（ステップＳ７３）。また、このとき受信した呼設定メッセージ内のユーザ速度を解析し、相手データ端末装置（ＤＴＥ）１ＢがＩＳＤＮ４に接続されていることを認識する。
【００３１】
ＤＴＥ制御部２１は着信要求を受けると、ＤＴＥ１Ａが着信可能の場合、制御部２２に対して着信許可を伝える（ステップＳ７４）。着信許可を受けた制御部２２は呼制御部２３に対して呼設定応答を伝える（ステップＳ７５）。呼制御部２３は呼設定応答を受けると、ＩＳＤＮ４へ応答メッセージを送出し（ステップＳ７６）、制御部２２に通信開始を伝える（ステップＳ７７）。制御部２２は相手端末装置（ＤＴＥ）１ＢがＩＳＤＮ４に接続されていることを認識しているため、Ｖ．１１０部２４に通信開始を伝える（ステップＳ７８）。
【００３２】
Ｖ．１１０部２４は通信開始を受けると、接続された相手側の端末アダプタ（ＴＡ）２Ｂとの通信プロトコル（Ｖ．１１０手順）を起動し（ステップＳ７９）、本装置に接続されているＤＴＥ１ＡとＩＳＤＮ４側に接続されているＤＴＥ１Ｂとの通信を行う（ステップＳ８０）。
【００３３】
【発明の効果】
本発明によれば、相手データ端末装置の収容網を管理することなく発信および通信が可能であり、これによって相手データ端末装置の増加および収容網の変更に柔軟に対応することができる。
【００３４】
また、本発明によれば、相手データ端末装置がサービス総合ディジタル網またはパーソナル・ハンディフォン・システム網のいずれに接続されていても、そのどちらのデータ端末装置からでも１台の端末アダプタで着信を受け付けることができ、端末アダプタ等の設備の増加を軽減することができる。
【図面の簡単な説明】
【図１】ＩＳＤＮおよびＰＨＳ網でのシステム構成図である。
【図２】本発明によるＩＳＤＮ端末アダプタのプログラム構成図である。
【図３】ＰＨＳ網に収容されたデータ端末装置とデータ通信を行う場合の発呼シーケンスを示す図である。
【図４】ＩＳＤＮに収容されたデータ端末装置とデータ通信を行う場合の発呼シーケンスを示す図である。
【図５】ＰＨＳ網に収容されたデータ端末装置とデータ通信を行う場合の着信シーケンスを示す図である。
【図６】ＩＳＤＮに収容されたデータ端末装置とデータ通信を行う場合の着信シーケンスを示す図である。
【符号の説明】
１Ａ，１Ｂ，１Ｃ  データ端末装置（ＤＴＥ）
２Ａ，２Ｂ  端末アダプタ（ＴＡ）
３Ａ，３Ｂ  回線終端装置（ＮＣＴＥ）
４  ＩＳＤＮ
５  ＰＨＳデータ通信アダプタ（ＰＨＳＡＤＰ）
６  ＰＨＳ用電話機（ＰＨＳＴＥＬ）
７  ＰＨＳ無線基地局（ＣＳ）
８  ＰＨＳ網
２１  ＤＴＥ制御部
２２  制御部
２３  呼制御部
２４  Ｖ．１１０部
２５  ＰＨＳ制御部
【図１】
0003614613.tif 000002
【図２】
0003614613.tif 000003
【図３】
0003614613.tif 000004
【図４】
0003614613.tif 000005
【図５】
0003614613.tif 000006
【図６】
0003614613.tif 000007